(57)【要約】【課題】屋根面であれば瓦桟の間、壁面であれば通気胴縁の間に形成される通気空間を利用して設置することにより、遮熱性、断熱性及び室内からの放湿を促進し、住宅の耐久性及び室内の温熱環境をより高め、且つ、消音効果をも発揮し得る遮熱・断熱通気材、並びに、それを用いた屋根部通気、小屋裏換気方法を提供することを課題とする。【解決手段】ポリプロピレン等のプラスチックプレート２に多数の中空円錐体３を成形加工した通気プレート１を設け、前記通気プレート１の前記中空円錐体３群の底面開口側に遮熱カバー６を被装して成る。【選択図】図２
2006169951.tif 000002
【特許請求の範囲】
【請求項１】
ポリプロピレン等のプラスチックプレートに多数の中空円錐体を成形加工した通気プレートを設け、前記通気プレートの前記中空円錐体群の底面開口側全面に遮熱カバーを被装して成る遮熱・断熱通気材。
【請求項２】
前記遮熱カバーは、薄手の断熱材を介して前記通気プレートに被装される請求項１に記載の遮熱・断熱通気材。
【請求項３】
前記プラスチックプレートの前記中空円錐体を設けていない平坦部分に無数の吸音用小孔を穿設した請求項１又は２に記載の遮熱・断熱通気材。
【請求項４】
多数本の硬質プラスチック製モノフィラメントをランダムなループ状に堆積して平板状に形成されるプレートであって、その厚み部は、複数列設される筒状空洞部と、その表裏を覆うループ圧潰層とから成る通気プレートを設け、前記通気プレートの少なくとも一面全体に遮熱カバーを被装して成る遮熱・断熱通気材。
【請求項５】
請求項１乃至４のいずれかに記載の遮熱・断熱通気材を、通気可能な瓦桟間の野地板上に設置することにより、軒先から棟開口へ向かっての通気を可能にしたことを特徴とする遮熱・断熱通気材を用いた屋根部通気、小屋裏換気方法。
【発明の詳細な説明】
【技術分野】
【０００１】
本発明は、遮熱・断熱通気材、より詳細には、建築物の屋根面や壁面内等に設置される、遮熱性及び断熱性を備えた通気材及びそれを用いた屋根部通気、小屋裏換気方法に関するものである。
【背景技術】
【０００２】
建築物の屋根や壁面には、太陽光が直接当たって高熱となるので、その熱が室内に伝達されることを防ぐために、屋根や壁に断熱材が張設される。
【０００３】
上記断熱材による熱対策は、あくまで断熱を目的とするもので、それなりの効果を発揮しているが、空間部を介して伝達される輻射熱に対する熱対策とはなり得ない。
【特許文献１】特開平６−１８５１３０号公報
【特許文献２】特公平６−５４０３５号公報
【特許文献３】特開２００１−３４２６９５号公報
【特許文献４】特開２００３−１３８６６４号公報
【特許文献５】特開２００３−１６０９８１号公報
【特許文献６】特開２００３−１８４２１６号公報
【特許文献７】特開２００４−３６２５５号公報
【発明の開示】
【発明が解決しようとする課題】
【０００４】
上述したように、従来の断熱材を用いる方法は、断熱以外に輻射熱対策が講じられていないため、快適な温熱環境のための熱対策としては、十分なものとはいい難いものである。
【０００５】
そこで本発明は、屋根面であれば瓦桟の間、壁面であれば通気胴縁の間に形成される通気空間を利用して設置することにより、遮熱性、断熱性及び室内からの放湿を促進し、住宅の耐久性及び室内の温熱環境をより高め、且つ、消音効果をも発揮し得る遮熱・断熱通気材、並びに、それを用いた屋根部通気、小屋裏換気方法を提供することを課題とする。
【課題を解決するための手段】
【０００６】
上記課題を解決するために、請求項１に係る発明は、ポリプロピレン等のプラスチックプレートに多数の中空円錐体を成形加工した通気プレートを設け、前記通気プレートの前記中空円錐体群の底面開口側に遮熱カバーを被装して成る遮熱・断熱通気材を提唱する。
【０００７】
前記遮熱カバーは、薄手の断熱材を介して前記通気プレートに被装されることが好ましく、また、前記プラスチックプレートの前記中空円錐体を設けていない平坦部分に無数の吸音用小孔を穿設することもある。
【０００８】
上記課題を解決するために、請求項４に係る発明は、多数本の硬質プラスチック製モノフィラメントをランダムなループ状に堆積して平板状に形成されるプレートであって、その厚み部は、複数列設される筒状空洞部と、その表裏を覆うループ圧潰層とから成る通気プレートを設け、前記通気プレートの少なくとも一面全体に遮熱カバーを被装して成る遮熱・断熱通気材を提唱する。
【０００９】
上記課題を解決するために、請求項５に係る発明は、請求項１乃至４のいずれかに記載の遮熱・断熱通気材を、通気可能な瓦桟間の野地板上に設置することにより、軒先から棟開口へ向かっての通気を可能にしたことを特徴とする遮熱・断熱通気材を用いた屋根部通気、小屋裏換気方法を提唱する。
【発明の効果】
【００１０】
本発明に係る遮熱・断熱通気材は上記構成であるため、従来の断熱材に付加して、屋根面や壁面に存在する通気空間に、その遮熱カバーを受熱側にして設置することにより、遮熱カバー、断熱材及び中空円錐体群の空気層、あるいは、筒状空洞部の空気層の作用で屋内への熱の伝達が防止され、以て建物の温熱環境が改善され、また、中空円錐体間あるいは筒状空洞部に十分に通気スペースがあるため、設置個所の通気性が損なわれることなく室内からの湿気の放出が十分になされ、住宅の耐久性を向上し得る効果があり、更には、屋根面や壁面の使用されていない通気空間を有効活用し得る効果がある。
【００１１】
請求項３に係る発明においては、無数の吸音用小孔が穿設されているために、更に消音効果があり、また、請求項５に係る発明においては、屋根面の広範囲に渡って瓦と野地板との間の空間部（詳細には、遮熱カバーと野地板間）における掃気が可能となり、以て、小屋裏換気と相俟って住宅の耐久性が向上し、室内の温熱環境も改善される効果がある。
【発明を実施するための最良の形態】
【００１２】
本発明を実施するための最良の形態について、添付図面に依拠して説明する。本発明に係る遮熱・断熱通気材は、ポリプロピレン等のプラスチックプレート２に、多数の中空円錐体３を成形加工した通気プレート１を設け、前記通気プレート１の前記中空円錐体３群の底面開口側に遮熱カバー６を被装して成る。
【００１３】
通気プレート１は、例えば厚さ０．１〜０．３ｍｍ程のポリプロピレン等のプラスチックプレート２に、エンボス加工等によって、先端部を平坦にした高さ５〜１０ｍｍ程の中空円錐体３を、密に設けたものである。その密度は、通例、各中空円錐体３の下端裾部同士が接触することなく、平坦スペース４が残る程度であるが、仮に各中空円錐体３の下端裾部同士が接触する程度に密に配列したとしても、円錐形状であるがために、各中空円錐体３間に、十分な通気性のある通気路５を確保することができる。
【００１４】
図１に示す例では、各列の中空円錐体３を左右に少し宛ずれるように配置しているが、これを縦横に碁盤目状に並ぶようにしてもよい。また、中空円錐体３は、必らずしもこのような規則的な配列である必要はなく、不規則な配列であってもよい。
【００１５】
プラスチックプレート２の裏面全体、即ち、中空円錐体２形成面と反対側の面全体に、アルミシート等の遮熱カバー６が被装されるが、好ましくは遮熱カバー６は、薄手の断熱材７を介して被装される。
【００１６】
通気層に厚みが必要な場合には、通気プレート１を複数枚積層したものを用いることができる。図３に示す例は、通気プレート１を複数枚（図３では３枚）同じ向きに積層したものである。この場合、上下の中空円錐体３同士が重なってスタッキング状態とならないように、上下の中空円錐体３、３同士がずれるようにして積層するか、あるいは、各通気プレート１間に適宜プラスチックプレート、あるいは、遮熱カバー６の如きを挟み入れるようにする。
【００１７】
また、図４に示す例は、２枚の通気プレート１、１を、その中空円錐体３同士が向かい合うようにして貼り合わせたものである。
【００１８】
プラスチックプレート２の中空円錐体３を設けてない平坦部分４に無数の直径１ｍｍ程度の吸音用小孔８を設けることもある。図１では、吸音用小孔８は一部の平坦部分４にしか示されていないが、実際には全域に渡って形成される。
【００１９】
図５は、他の構成の通気プレート１ａによって構成された防音通気材を示すもので、この通気プレート１ａは、多数本の硬質プラスチック製モノフィラメント１８をランダムなループ状に堆積して平板状に形成されるプレートであって、その厚み部は、複数列設される筒状空洞部１９と、その表裏を覆うループ圧潰層２０とから成るものである。この通気プレート１ａは、特許第３４３５１４５号の集排水処理材を転用したものであり、その少なくとも一面全体に、上記同様の遮熱カバー６が被装される。
【００２０】
次に、本発明に係る遮熱・断熱通気材の施工例について説明する。図６に示すものは棟部の屋根面に施工する例で、この場合は、透湿性の防水紙を張った野地板１１上の瓦桟１２間に、遮熱カバー６を上面にして配置する。野地板１１への固定は、適宜個所を釘止めする等の方法によって行う。かくして、通気プレート１と瓦１３との間の空間部１４を伝わってくる輻射熱は遮熱カバー６で反射され、室内側に伝わらない。
【００２１】
上記施工方法は、空間部１４の掃気に利用することができる。即ち、瓦桟１２として通気可能なものを用いることにより、軒先側から野地板１１を伝って上昇してくる風は、瓦桟１２を抜け、通気プレート１の通気路５を通って上昇し、棟開口１５から排出される。この場合通気プレート１は、通気空間を多くとるために、複数積層したものを用いることもできる。
【００２２】
この工法の場合、屋根面の広範囲に渡って空間部１４（詳細には、遮熱カバー６と野地板１１間）における掃気が可能となる。かくして、小屋裏換気と相俟って、住宅の耐久性を向上させ、室内の温熱環境を改善することが可能となる。
【００２３】
なお、本発明に係る遮熱・断熱通気材は、上記のような瓦屋根だけではなく、板金屋根等の場合にも使用することができることは言うまでもない。但し、板金屋根の場合は、瓦屋根と違って野地板に直接施工（留め付ける）する場合が一般的である。これによると、瓦桟１２が存在しないので通気空間がなく、このことは輻射熱が発生するスペースがないことを意味する。従って、通気プレート１を、アルミシートなどの熱線反射材を挟んで複数重ねたものを施工する使用法が考えられる。
【００２４】
図７に示すものは壁面に施工する例で、この場合は、柱１３及び間柱１４に打ち付けられる下地材１５の外側面に、遮熱カバー６を外側にして配置する。図示した例では、遮熱・断熱通気材は、縦胴縁１６の打ち付け前に下地材１５に固定し、その後その上から縦胴縁１６を打ち付ける方法を示しているが、遮熱・断熱通気材は、縦胴縁１６を下地材１５に打ち付けた後に、縦胴縁１６間の下地材１５に定着するようにしてもよい。
【００２５】
上記野地板１１や下地材１５等への打ち付けを容易にするために、遮熱カバー６を通気プレート１よりも大きめにして通気プレート１からはみ出るようにし、そのはみ出した部分を釘止め個所等として利用するようにしてもよい。
【００２６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２７】
【図１】本発明に係る遮熱・断熱通気材の一構成例を示す図である。
【図２】図１に示す構成例の一部を開いて中空円錐体の形状を示す図である。
【図３】本発明に係る遮熱・断熱通気材の他の構成例を示す図である。
【図４】本発明に係る遮熱・断熱通気材の更に他の構成例を示す図である。
【図５】本発明に係る遮熱・断熱通気材の更に他の構成例を示す図である。
【図６】本発明に係る遮熱・断熱通気材の施工例を示す図である。
【図７】本発明に係る遮熱・断熱通気材の他の施工例を示す図である。
【符号の説明】
【００２８】
１    通気プレート
２    プラスチックプレート
３    中空円錐体
４    平坦スペース
５    通気路
６    遮熱カバー
７    断熱材
８    吸音用小孔
１１    野地板
１２    瓦桟
１３    瓦
１４    空間部
１５    棟開口
１６    縦胴縁
１８    モノフィラメント
１９    筒状空洞部
２０    ループ圧潰層
【図１】
2006169951.tif 000003
【図２】
2006169951.tif 000004
【図３】
2006169951.tif 000005
【図４】
2006169951.tif 000006
【図５】
2006169951.tif 000007
【図６】
2006169951.tif 000008
【図７】
2006169951.tif 000009